(57)【要約】【課題】  本発明は、より販売を促進させることができる抽選サーバ装置を提供することを課題とする。【解決手段】  懸賞への応募を受け付け、抽選で当選者を決定する抽選サーバ装置は、応募要求を含む応募情報を受信する応募情報受信手段と、予め設定した時から、応募情報を受信するまでの時間を計時する計時手段と、計時手段が計時した時間に基づいて、抽選における当選確率を決定する確率決定手段と、確率決定手段により決定した当選確率を格納する格納手段と、格納手段に格納された当選確率に基づいて抽選処理を行い、当選者を決定する抽選手段とを備えて構成される。【選択図】  図１
2006039776.tif 000002
【特許請求の範囲】
【請求項１】
懸賞への応募を受け付け、抽選で当選者を決定する抽選サーバ装置において、
応募要求を含む応募情報を受信する応募情報受信手段と、
予め設定した時から、前記応募情報を受信するまでの時間を計時する計時手段と、
前記計時手段が計時した時間に基づいて、前記抽選における当選確率を決定する確率決定手段と、
前記確率決定手段により決定した前記当選確率を格納する格納手段と、
前記格納手段に格納された前記当選確率に基づいて抽選処理を行い、当選者を決定する抽選手段と
を備えることを特徴とする抽選サーバ装置。
【請求項２】
前記応募情報受信手段は、複数の異なる種類の前記応募情報を受信し、
前記計時手段は、予め設定した時から、予め設定した数の種類の前記応募情報が前記応募情報受信手段によって受信されるまでの時間を計時する
ことを特徴とする請求項１に記載の抽選サーバ装置。
【発明の詳細な説明】
【技術分野】
【０００１】
本発明は、抽選サーバ装置に関する。
【背景技術】
【０００２】
現在、商品に添付された応募シール等を集めて応募する懸賞がある。また、下記特許文献１には、懸賞応募者が携帯電話にて懸賞対象商品に貼り付けられたバーコード情報を読み取り、所定のサーバに所定回数送信すると、サーバが一口分の懸賞応募として受付ける処理を行う、懸賞応募システムについて開示されている。
【特許文献１】特開２００３−１５０７４５号公報
【発明の開示】
【発明が解決しようとする課題】
【０００３】
しかし、上記従来の懸賞応募システムにおいては、応募を完了するまでの期間が早い人も遅い人も当選確率が一定である。よって、応募を完了するまでの期間が早い人に対して抽選の優位性がなく、懸賞対象商品の販売の促進が不十分であった。
【０００４】
そこで、本発明は、より販売を促進させることができる抽選サーバ装置を提供することを課題とする。
【課題を解決するための手段】
【０００５】
上記課題を解決するために、本発明の抽選サーバ装置は、懸賞への応募を受付け、抽選で当選者を決定する抽選サーバ装置であって、応募要求を含む応募情報を受信する応募情報受信手段と、予め設定した時から、応募情報を受信するまでの時間を計時する計時手段と、計時手段が計時した時間に基づいて、抽選における当選確率を決定する確率決定手段と、確率決定手段により決定した当選確率を格納する格納手段と、格納手段に格納された当選確率に基づいて抽選処理を行い、当選者を決定する抽選手段とを備えたことを特徴としている。
【０００６】
計時手段が計測した、予め設定した時から応募情報を受信するまでの時間に基づいて、抽選における当選確率を決定することにより、予め設定した時から応募を完了するまでの時間に応じて当選確率を変更することができる。
【０００７】
また、本発明の抽選サーバ装置において、応募情報受信手段は、複数の異なる種類の応募情報を受信し、計時手段は、予め設定した時から予め設定した数の種類の応募情報が応募情報受信手段によって受信されるまでの時間を計時することが好ましい。予め設定した時から、予め設定した数の種類の応募情報が応募情報受信手段によって受信されるまでの時間を計時することにより、予め設定した時から所定回数の応募を完了するまでの時間に応じて当選確率を変更することができる。
【発明の効果】
【０００８】
本発明の抽選サーバ装置によって、予め設定した時から懸賞の応募を完了するまでの期間に応じて、抽選の当選確率を決定することが可能となる。よって、早く応募を完了した人ほど当選確率を高くすることで、懸賞対象商品の販売促進を図ることができる。
【発明を実施するための最良の形態】
【０００９】
以下、添付図面を参照しながら本発明の実施の形態を説明する。ここで、本実施形態において、ユーザ端末が、懸賞対象商品に添付された４種類の応募情報を、本実施形態にかかる抽選サーバ装置に送信すると、応募が完了する例について説明する。
【００１０】
まず、本実施形態にかかる抽選サーバ装置の構成について説明する。図１は、本実施形態にかかる抽選サーバ装置１０の構成図である。本実施形態にかかる抽選サーバ装置１０は、応募情報受信部１２と、ＩＤ付与部１４と、計時部１６と、情報処理部１８と、格納部３０と、判定部４８と、エラーメッセージ生成部５６と、コンテンツ生成部５８と、送信部６０とを備えて構成される。以下、各構成要素について詳細に説明する。
【００１１】
応募情報受信部１２は、ユーザ端末から送信される情報を受信する。ユーザ端末から送信される情報とは、応募登録情報と、応募情報と、ユーザのパスワードと、ユーザ端末のメールアドレスと、ユーザを特定するユーザIDである。ここで、応募登録情報には、該当する懸賞へ応募する者として登録を要求する旨の情報が含まれている。応募情報は、ユーザ端末から抽選サーバ装置１０に対して懸賞に応募することを通知するための情報であり、具体的には、それぞれの応募情報を識別する識別番号（以下、情報ナンバーという）が応募情報に含まれている。また、応募情報には、４つの種別が設定されおり、応募情報Ａから応募情報Ｄまで種別を識別する種別情報も応募情報に含まれている。応募情報は、懸賞対象商品（例えば、缶ジュース、缶ビールなど）に添付されており、ユーザ端末から抽選サーバ装置１０に所定の4種別を送信すると、応募完了となり、懸賞に応募できる。さらに、応募情報は、後述する画像や音楽のコンテンツデータを含む。そして、応募登録情報と応募情報は、どちらも懸賞の開催者が予め設定したものであって、応募登録情報と応募情報は、どちらもＱＲコードである。応募登録情報のＱＲコード、または、懸賞対象商品のパッケージに表示された応募情報のＱＲコードを、携帯端末等のユーザ端末が読取り、抽選サーバ装置１０に送信する。
【００１２】
判定部４８は、応募情報受信部１２が受信した情報の判定と、情報を送信したユーザの判定を行う。判定部４８は、ユーザ判定部５０と、応募情報判定部５２と、情報種別判定部５４を備えている。
【００１３】
ユーザ判定部５０は、抽選サーバ装置１０に情報を送信したユーザが登録済みか、または、未登録かどうか判定するユーザ判定を行う。ユーザ判定には、ユーザが送信した情報によって３つの種類ある。第１のユーザ判定は、応募情報受信部１２によって受信された情報が応募登録情報である場合のユーザ判定である。この場合、ユーザ判定部５０は、応募登録情報を送信したユーザが既にユーザデータベース３２に登録済みか未登録かを判定する。図３は、ユーザデータベース３２の構成図である。ユーザデータベース３２には、登録したユーザのユーザＩＤとユーザ端末のメールアドレスとパスワードが関連付けて格納されている。第１のユーザ判定を具体的に説明すると、ユーザデータベース３２に格納済みのメールアドレスと受信した応募登録情報の送信元のメールアドレスが一致すると、該当するユーザがすでにユーザデータベース３２に登録済みであると判定する。一致するメールアドレスがなければ、該当するユーザがユーザデータベース３２に未登録であると判定する。
【００１４】
第２のユーザ判定は、応募情報受信部１２が受信した情報がユーザＩＤとパスワードを含む場合のユーザ判定である。この場合、ユーザ判定部５０は、応募情報を送信したユーザが既にユーザデータベース３２に登録済みか未登録かを判定する。第２のユーザ判定を具体的に説明すると、受信したユーザＩＤとパスワードと送信元のメールアドレスが関連付けられて、ユーザデータベース３２に既に格納されているならば、該当するユーザがユーザデータベース３２に登録されていると判定する。受信したユーザＩＤとパスワードと送信元のメールアドレスが、ユーザデータベース３２に格納されていないならば、該当するユーザがユーザデータベース３２に登録されていないと判定する。
【００１５】
第３のユーザ判定は、ユーザから、後述する景品データベース４６へのアクセス要求を受けた場合のユーザ判定である。この場合、ユーザ判定部５０は、景品データベース４６へのアクセス要求を行ったユーザが当選した当選ユーザとして抽選結果データベース４４に登録されているかどうか判定する。抽選結果データベース４４には、抽選の結果当選した当選ユーザのユーザＩＤが格納されている。第３のユーザ判定を具体的に説明すると、ユーザ判定部５０は、景品データベース４６へのアクセスを要求したユーザのユーザＩＤが抽選結果データベース４４に格納されていれば、当選ユーザとして登録されていると判定する。景品データベース４６へのアクセスを要求したユーザＩＤが抽選結果データベース４４に格納されていなければ、当選ユーザとして登録されていないと判定する。
【００１６】
応募情報判定部５２は、応募情報受信部１２が受信した応募情報が、後述する応募情報データベース３４に登録済みである場合は、不正と判断する。また、応募情報判定部５２は、応募登録情報または応募情報が、予め設定した情報とは異なっている場合に不正と判断する。応募情報判定部５２は、応募登録情報については、予め設定した情報である場合に正と判断し、応募情報については、応募情報データベース３４に未登録であり、且つ、予め設定した情報である場合に正と判定する。図４は、応募情報データベース３４の構成図である。応募情報データベース３４には、応募情報を識別する情報ナンバーと、４つの応募情報の種別と、応募情報が応募に使用されて登録済みかどうかを判別する情報が関連付けて格納されている。
【００１７】
応募情報判定部５２の判定は、例えば、応募情報受信部１２が受信した応募情報の情報ナンバーが１００００００００１である場合、図４の応募情報データベース３４によると、情報ナンバー１００００００００１の応募情報は、予め設定した応募情報であるが、登録済みの欄に○印が付いているので、応募情報判定部５２が該当する応募情報を不正と判断する。また、応募情報判定部５２は、応募情報データベース３４において、正と判定した応募情報に対して、登録済みである情報を付加する。この応募情報判定によって、一つの応募情報を、複数のユーザが応募に使用することを防止する。
【００１８】
情報種別判定部５４は、コンテンツデータベース３６にアクセスし、受信した応募情報の種別が該当するユーザによってすでに使用済みであれば不正と判定し、未使用ならば正と判定する、応募情報種別判定を行う。図５は、コンテンツデータベース３６の構成図である。コンテンツデータベース３６には、ユーザＩＤと、ユーザが応募に使用した応募情報の種別が関連づけて格納されている。例えば、ユーザＩＤ００２のユーザ端末から応募情報種別が応募情報Ｂの応募情報を受信した場合、図５に示すコンテンツデータベース３６によると、ユーザＩＤ００２のユーザ端末から既に応募種別Ｂの応募情報を受信しているので、応募情報判定部５２が該当する応募情報を不正と判断する。
【００１９】
そして、情報種別判定部５４は、コンテンツデータベース３６において、正と判定した応募情報を送信したユーザのユーザＩＤと、該当する応募情報の種別を関連づけて格納する。さらに、応募種別判定部５４は、後述する応募管理データベース３８にも、正と判定した応募情報を送信したユーザのユーザＩＤと、該当する応募情報の種別を関連づけて格納する。また、応募種別判定部５４は、一つのユーザＩＤに対して応募情報Ａから応募情報Ｄまでを関連づけて応募管理データベース３８に格納すると、４つ目の応募情報を受信した日（すなわち、４つの応募情報を全て受信した日）を応募管理データベース３８に格納する。
【００２０】
ＩＤ付与部１４は、応募したユーザを特定するためのユーザＩＤを付与する。そして、ＩＤ付与部１４は、付与したユーザＩＤを、ユーザデータベース３２に、ユーザのパスワードとメールアドレスと関連づけて格納する。また、ユーザＩＤ付与部１４は、付与したユーザＩＤと応募登録情報を受信したエントリー日を関連づけて応募管理データベース３８に格納する。図６は、応募管理データベース３８の構成図である。応募管理データベース３８には、ユーザＩＤと、該当するユーザ端末から応募登録情報を受信したエントリー日と、ユーザ端末から受信した応募情報の種別と、４つ目の応募情報を受信した完了日が関連づけて格納されている。
【００２１】
エラーメッセージ生成部５６は、判定部４８が行った判定に基づき、エラーメッセージを生成する。詳細は、フローチャート図を用いて後述する。
【００２２】
コンテンツ生成部５８は、応募情報受信部１２が受信した応募情報を用いて画像や音楽等のコンテンツ情報を生成する。送信部６０は、ユーザ端末に情報を送信する。ここで、応募情報受信部１２が、ユーザ端末によって送信される応募情報を受信する毎に、ユーザ端末は、一つの画像を４分割したうちの一つの画像を、抽選サーバ装置１０から受信することができる。そして、応募情報受信部１２が、ユーザ端末から送信される４種類の応募情報を受信し、応募が完了すると、一つの画像がユーザ端末において完成する、といったサービスを抽選サーバ装置２０は提供することができる。また、送信部６０は、応募管理データベース３８とコンテンツデータベース３６において、応募が完了したユーザのユーザＩＤに関する、応募情報Ａから応募情報Ｂを受信した旨を示す情報をクリアする。
【００２３】
計時部１６は、応募管理データベース３８に格納された、エントリー日と完了日を用いて、エントリー日から完了日までの完了日数を求める。
【００２４】
情報処理部１８は、確率決定部２０と、抽選ナンバー割当部２２と、抽選部２４と、抽選結果処理部２６と、景品データベース管理部２８を備える。
【００２５】
確率決定部２０は、計時部１６が求める完了日数と、予め設定した確率変動ルールに基づいて、該当するユーザの抽選の口数を決定する。ここで確率変動ルールとは、図２に示すように、完了日数に対して、抽選に応募する口数を予め定めたものである。例えば、図６の応募管理データベース３８によると、ユーザＩＤ００１は、エントリー日が２００４年５月３日で、完了日が２００４年７月３日なので、エントリー日から完了日までの完了日数は１０日以上である。よって、ユーザＩＤ００１の抽選口数は、図２に示す確率変動ルールに基づいて、１口と決定される。このように、計時部１６が求めた完了日数に応じて、確率決定部２０が抽選の口数を変動することによって、抽選サーバ装置１０が抽選確率を変動することができる。また、確率決定部２０は、決定した抽選の口数を、抽選者情報データベース４０にユーザＩＤと関連づけて格納する。図７は、抽選者情報データベース４０の構成図である。抽選者情報データベース４０には、ユーザＩＤと、確率決定部２０が決定した応募の口数が関連づけて格納されている。
【００２６】
抽選ナンバー割当部２２は、ユーザＩＤに対して、確率決定部２０が決定した口数の数だけ、抽選に用いる抽選用ナンバーを割当てる。そして、抽選ナンバー割当部２２は、割当てた抽選用ナンバーをユーザＩＤと関連づけて、抽選ナンバーデータベース４２に格納する。図８は、抽選ナンバーデータベース４２の構成図である。抽選ナンバーデータベース４２には、ユーザＩＤと、抽選ナンバー割当部２２が割当てた、抽選に用いるナンバーが関連づけて格納されている。
【００２７】
抽選部２４は、抽選ナンバー割当部２２が割当てた抽選用ナンバーの中から予め設定された数だけ抽選用ナンバーを抽出する。図９は、抽選部２４によって抽出された抽選用ナンバーと、その抽選用ナンバーを割当てられたユーザＩＤの例を示す。
【００２８】
抽選結果処理部２６は、抽選部によって、一人のユーザに対して複数の抽選用ナンバーが抽出された場合に、一つの抽選用ナンバーのみを割当てる処理を行う。抽選結果処理部２６が処理を行うのは、一人のユーザに対して複数の当選が起こらないようにする為である。例えば、図９のように、ユーザＩＤ００４に対して、抽選用ナンバー６と１１の複数の抽選用ナンバーが抽出されると、抽選結果処理部２６は、抽選用ナンバー１１を削除し、抽選用ナンバー６のみをユーザＩＤ００４に割当てる。そして、抽選結果処理部２６は、割当てた抽選用ナンバーを当選ナンバーとして、ユーザＩＤと関連づけて、抽選結果データベース４４に格納する。図１０は、抽選結果データベース４４の構成図である。抽選結果データベース４４には、当選ナンバーと、その当選ナンバーが割当てられたユーザＩＤが関連づけて格納されている。抽選結果データベース４４に格納されたユーザＩＤによって識別されるユーザは、抽選に当選した当選ユーザである。また、当選人数が予め設定されている場合は、抽選結果処理部２６によって削除された抽選用ナンバーの数だけ、再度、抽選部２４が抽選用ナンバーを抽出することが好ましい。
【００２９】
景品データベース管理部２８は、ユーザの入力情報に応じて、景品データベース４６の更新を行う。景品データベース４６は、景品一覧データベースと景品別データベースから構成される。図１１は景品一覧データベースの構成図であり、図１２は景品別データベースの構成図である。景品一覧データベースには、景品を識別する景品ＩＤと、景品名と、景品の画像と、在庫数と、その景品を希望する希望ユーザ数と、在庫数から希望ユーザ数を差し引いた残在庫数が関連付けて格納されている。景品別データベースには、個々の景品に対して、その景品を希望する希望ユーザのユーザＩＤと残在庫数が関連づけて格納されている。
【００３０】
景品データベース４６の更新について具体的に説明すると、景品データベース管理部２８は、ユーザ端末から希望の景品の景品ＩＤ情報を受信すると、景品一覧データベースにおいて、該当する景品の希望ユーザ数に１を足し、残在庫数から１を引く。さらに、景品データベース管理部２８は、景品別データベースの該当する景品欄において、景品ＩＤの情報を入力したユーザ端末のＩＤと残在庫数を関連づけて格納する。また、景品の残在庫が０になった状態で、景品データベース管理部２８が、抽選ユーザのユーザ端末から、希望の景品として残在庫が０になった景品の景品IDを受信すると、景品データベース管理部２８が、エラーメッセージをユーザ端末に表示させることが好ましい。
【００３１】
景品データベース管理部２８が、上記のようにリアルタイムで景品データベース４６の更新を行うことによって、商品の在庫を常に管理することができる。よって、当選したユーザは、在庫がある景品の中から好きなものを選択できる。
【００３２】
格納部３０には、ユーザデータベース３２と、応募情報データベース３４と、コンテンツデータベース３６と、応募管理データベース３８と、抽選者情報データベース４０と、抽選ナンバーデータベース４２と、抽選結果データベース４４と、景品データベース４６が格納されている。
【００３３】
続いて、本実施形態にかかる抽選サーバ装置１０の動作について説明し、併せて、本発明の実施にかかる抽選方法について説明する。説明のために、本実施形態にかかる抽選サーバ装置１０の動作を次のように４つの過程に分けて説明する。一つ目は、懸賞に応募するユーザのユーザ登録を行う登録過程である。２つ目は、登録を行ったユーザの応募を受付ける応募過程である。３つ目は、応募を完了したユーザに対して抽選を行う抽選過程である。４つ目は、抽選の結果、当選した当選ユーザから、希望の景品を受付け、在庫を管理する過程である。以下４つの過程について詳しく説明する。
【００３４】
一つ目の過程である登録過程における、本実施形態にかかる抽選サーバ装置１０の動作のフロー図を図１３に示す。まず、ユーザ端末から送信された応募登録情報が、応募情報受信部１２によって受信される（Ｓ０１）。応募登録情報が受信されると、応募登録情報を送信したユーザ端末のユーザが、ユーザデータベース３２に登録済みかどうか、ユーザ判定部５０によって第１のユーザ判定がなされる（Ｓ０２）。第１のユーザ判定の結果、ユーザが登録済みと判定されると、エラーメッセージ生成部５６によって生成された、登録済みの旨を記したエラーメッセージが、該当するユーザ端末に送信される（Ｓ０３）。第１のユーザ判定の結果、ユーザが未登録と判定されると、該当するユーザ端末へパスワードの要求が送信される（Ｓ０４）。応募情報受信部１２によって、ユーザからのパスワードが受信される（Ｓ０５）と、ユーザ端末のメールアドレスと受信したパスワードに対して、ユーザＩＤ付与部１４によってユーザＩＤが付与される（Ｓ０６）。ユーザＩＤが付与されると、ユーザＩＤ付与部１４によって、付与されたユーザＩＤとユーザ端末のメールアドレスとユーザ端末から送信されたパスワードが関連づけられてユーザデータベース３２に格納され、ユーザＩＤと応募登録情報を受信した日が関連づけられて応募管理データベース３８にも格納される（Ｓ０７）。ユーザＩＤが格納されると、ユーザ端末へユーザＩＤとコンテンツフォームが送信部６０によって送信され（Ｓ０８）、ユーザ登録完了となる。
【００３５】
ここで、コンテンツフォームのイメージを図１７に示す。コンテンツフォームとは、ユーザ端末が応募情報のＱＲコードを読み取ると画面に表示されるフォームであり、読み込んだＱＲコードが完成画像のどの部分に対応しているか表示し、実際に、抽選サーバ装置１０から画像を取得すると、コンテンツフォームの該当個所に画像が表示される。例えば、ユーザ端末が応募情報Ａを読み取ると、応募情報Ａが図１７のＩの部分に対応する旨のメッセージがユーザ端末に表示される。続いて、ユーザ端末が応募情報Ａを抽選サーバ装置１０に送信すると、コンテンツ生成部５８が応募情報Ａを用いて画像を生成し、送信部６０が画像をユーザ端末に送信する。ユーザ端末が画像を受信すると、コンテンツフォームのＩの部分に受信した画像が表示される。応募が完了すると、コンテンツフォームのＩからＩＶの部分全てに画像が表示され、一つの画像が完成する。
【００３６】
二つ目の過程である応募過程における、本実施形態にかかる抽選サーバ装置１０の動作のフロー図を図１４に示す。ユーザ端末から送信された応募情報と、ユーザＩＤと、パスワードが、応募情報受信部１２によって受信される（Ｓ０９）。応募情報とユーザＩＤとパスワードが受信されると、ユーザＩＤとパスワードを送信したユーザ端末のユーザがユーザデータベース３２に登録されているかどうか、ユーザ判定部５０によって、第２のユーザ判定がなされる（Ｓ１０）。第2のユーザ判定の結果、ユーザ判定部５０によって、該当するユーザが未登録ユーザと判定された場合は、該当するユーザ端末へ、エラーメッセージ生成部５６によって生成された、未登録の旨を記したエラーメッセージが送信される（Ｓ１１）。第２のユーザ判定の結果、ユーザ判定部５０によって、登録ユーザと判定された場合は、続いて応募情報判定部５２によって、応募情報が不正かどうか、応募情報判定がなされる（Ｓ１２）。応募情報判定部５２によって不正と判定されると、該当するユーザ端末へ、エラーメッセージ生成部５６によって生成されたエラーメッセージが送信される（Ｓ１３）。応募情報判定部５２によって正と判定された場合は、受信した応募情報が登録済みであることを示す情報が、受信した情報ナンバーと関連づけて、応募情報判定部５２によって、応募情報データベース３４に格納される（Ｓ１４）。応募情報が登録済みであることを示す情報が格納されると、情報種別判定部５４によって、情報種別が該当するユーザによって使用済みでないかどうか、情報種別判定がなされる（Ｓ１５）。情報種別判定部５４によって不正と判定されると、該当するユーザ端末へ、エラーメッセージ生成部５６によって生成されたエラーメッセージが送信される（Ｓ１６）。情報種別判定部５４によって正と判定された場合は、該当するユーザのユーザＩＤと、受信した応募情報の種別が関連づけられてコンテンツ情報データベース３６と応募管理データベース３８に情報種別判定部５４によって格納される（Ｓ１７）。ユーザＩＤと応募情報の種別が関連づけられて、情報種別判定部５４によって格納されると、画像または音楽のコンテンツ情報が、コンテンツ情報生成部５８によって生成され（Ｓ１８）、送信部６０によって該当するユーザのユーザ端末に、送信される（Ｓ１９）。ここで、応募管理データベース３８において、４種類の応募情報が登録済みとなっている場合（Ｓ２０でＹｅｓ）は、応募情報の受信完了となる。応募管理データベース３８において、４種類の応募情報が登録済みとなっていない場合（Ｓ２０でＮｏ）は、次の応募情報を受信するステップ０９に戻る。応募情報の受信が完了すると、４回目に応募情報が応募情報受信部１２によって受信された完了日が応募管理データベース３８に情報種別判定部５４によって格納される（Ｓ２１）。完了日が応募管理データベース３８に格納されると、計時部１６によって求められた完了日数を用いて、確率決定部２０によって抽選口数が決定される（Ｓ２２）。抽選口数が決定されると、抽選者データベース４０に、決定された抽選口数と該当するユーザＩＤが関連づけられて、確率決定部２０によって格納される（Ｓ２３）。抽選口数とユーザＩＤが格納��れると、応募が完了した旨のメッセージと抽選口数が、該当するユーザのユーザ端末に送信部６０によって送信される（Ｓ２４）。応募が完了した旨のメッセージと抽選口数が送信されると、応募管理データベース３８とコンテンツデータベース３６において、４回の応募情報の送信を完了したユーザの応募情報が、送信部６０によってクリアされ（Ｓ２５）、応募完了となる。
【００３７】
３つ目の過程である応募を完了した抽選ユーザに対して抽選を行う抽選過程を図１５に示す。まず、口数の決定したユーザのユーザＩＤに対して、確率決定部２０が決定した口数の数だけ、抽選ナンバー割当部２２によって、抽選に用いるナンバーが割当てられる（Ｓ２６）。抽選用ナンバーが割当てられると、抽選ナンバー割当部２２によって、抽選用ナンバーと抽選用ナンバーが割当てられたユーザＩＤとが関連付けられて、抽選者情報データベース４０に格納される（Ｓ２７）。抽選用ナンバーが格納されると、抽選ナンバー割当部２２が割当てたナンバーの中から、抽選部２４によって、予め設定された数だけ抽選用ナンバーが抽出され、抽選が行われる（Ｓ２８）。抽選が行われると、一人のユーザに対して複数の抽選用ナンバーが該当している箇所について、抽選結果処理部２６によって、一つの抽選用ナンバーのみを割当てる抽選結果処理が行われる（Ｓ２９）。ここで、当選人数が予め設定されている場合は、抽選結果処理部２６が削除した抽選用ナンバーの数だけ、再度、抽選部２４によって、抽選用ナンバーが抽出されることが好ましい。抽選結果処理が行われると、抽選結果処理部２６によって、抽選結果処理後の抽選用ナンバーが当選ナンバーとして、該当するユーザＩＤと関連付けられて、抽選結果データベース４４に格納される（Ｓ３０）。当選ナンバーが格納されると、抽選の対象となったユーザに抽選結果が、送信部６０によって送信され（Ｓ３１）、抽選終了となる。
【００３８】
４つ目の過程である応募を完了したユーザから希望の景品を受け付け、在庫を管理する景品管理過程を図１６に示す。送信部６０によって、抽選に当選した当選ユーザへ、景品データベース４６のＵＲＬが送信される（Ｓ３２）。景品データベース４６のURLが送信されるのは、前述の抽選結果と同時でもよい。景品データベース４６のURLが送信されると、当選ユーザからユーザIDが入力され、景品データベース４６へのアクセス要求がなされる（Ｓ３３）。当選ユーザから景品データベース４６へのアクセス要求がなされると、ユーザ判定部５０によって、当選ユーザかどうか、第３のユーザ判定がなされる（Ｓ３４）。ユーザ判定部５０によって、当選ユーザでないと判定されると、ユーザからの景品データベース４６へのアクセスが拒否される（Ｓ３５）。ユーザ判定部５０が当選ユーザだと判定すると、ユーザからの景品データベース４６へのアクセスが許可される（Ｓ３６）。ユーザからの景品データベース４６へのアクセスが許可され、ユーザが景品を選択すると、抽選サーバ装置に当選ユーザの選択した景品の景品ＩＤが取得される（Ｓ３７）。しかし、景品データベース４６にアクセスした当選ユーザによって、残在庫数が０の景品が選択された場合、景品データベース管理部２８によって、エラーメッセージが当選ユーザの端末に表示ざれることが好ましい。当選ユーザの選択した景品の景品ＩＤが取得されると、景品データベース管理部２８によって、ユーザの選択した景品について景品データベース４６の情報が更新される（Ｓ３８）。ここで更新される景品データベース４６の情報とは、景品一覧データベースにおいては、ユーザによって選択された景品に対応する希望ユーザ数と残在庫数であって、さらに、景品別データベースにおいては、ユーザによって選択された景品に対応する、景品を選択したユーザのユーザＩＤと残在庫である。景品データベース４６の更新がなされると、景品を選択したユーザへ、景品が確定した旨を告げるメッセージが送信部６０によって送信され（Ｓ３９）、一連の過程が終了する。
【００３９】
続いて、本実施形態にかかる抽選サーバ装置１０による効果について説明する。本実施形態にかかる抽選サーバ装置１０は、計時部１６が予め設定した時から、予め設定された回数の応募情報を受信するまでの時間を計時し、計時手段が計時した時間に基づいて、確率決定部２０が当選確率を決定するので、予め設定した時から懸賞の応募を完了するまでの期間に応じて、抽選の当選確率を決定することができる。従って、早く応募を完了した人ほど当選確率を高くすることで、懸賞対象商品の販売促進を図ることができる。
【００４０】
本実施形態において、応募登録情報と応募情報についてＱＲコードを用いる例をあげたが、バーコード、数字または文字の組み合わせによるコード等であってもよい。
【００４１】
また、応募が完了すると、抽選サーバ装置１０は、コンテンツデータベース３６と応募管理データベース３８において、応募が完了したユーザの応募情報をクリアするので、ユーザは、再度応募をすることができる。ユーザの再度の応募が完了したときに、確率決定部２０が決定する抽選の口数は、抽選者情報データベース４０にある該当するユーザの口数に加算することができる。ここでユーザが再度応募する際には、ユーザが一回目の応募情報を送信すると、コンテンツフォームを取得できる。
【００４２】
また、上記実施形態では、確率決定部２０が当選確率を決定する際に、ユーザ端末から送信された応募登録情報を抽選サーバ装置１０が受信した、エントリー日から、応募を完了する完了日までの完了日数に応じて当選確率を決定していたが、懸賞への応募の受付を開始した日から完了日までの完了日数に応じて当選確率を決定しても良い。
【図面の簡単な説明】
【００４３】
【図１】抽選サーバ装置の構成図である。
【図２】確率変動ルールを示す図である。
【図３】ユーザデータベースの構成図である。
【図４】応募情報データベースの構成図である。
【図５】コンテンツデータベースの構成図である。
【図６】応募管理データベースの構成図である。
【図７】抽選者情報データベースの構成図である。
【図８】抽選ナンバーデータベースの構成図である。
【図９】抽選結果を示す図である。
【図１０】抽選結果データベースの構成図である。
【図１１】景品一覧データベースの構成図である。
【図１２】景品別データベースの構成図である。
【図１３】登録過程の動作を示すフロー図である。
【図１４】応募過程の動作を示すフロー図である。
【図１５】抽選過程の動作を示すフロー図である。
【図１６】景品管理過程の動作を示すフロー図である。
【図１７】コンテンツフォームのイメージである。
【符号の説明】
【００４４】
１０・・・抽選サーバ装置、１２・・・応募情報受信部、１４・・・ＩＤ付与部、１６・・・計時部、１８・・・情報処理部、２０・・・確率決定部、２２・・・抽選ナンバー割当部、２４・・・抽選部、２６・・・抽選結果処理部、２８・・・景品データベース管理部、３０・・・格納部、３２・・・ユーザデータベース、３４・・・応募情報データベース、３６・・・コンテンツデータベース、３８・・・応募管理データベース、４０・・・抽選者情報データベース、４２・・・抽選ナンバーデータベース、４４・・・抽選結果データベース、４６・・・景品データベース、４８・・・判定部、５０・・・ユーザ判定部、５２・・・応募情報判定部、５４・・・種別情報判定部、５６・・・エラーメッセージ生成部、５８・・・コンテンツ生成部、６０・・・送信部
【図１】
2006039776.tif 000003
【図２】
2006039776.tif 000004
【図３】
2006039776.tif 000005
【図４】
2006039776.tif 000006
【図５】
2006039776.tif 000007
【図６】
2006039776.tif 000008
【図７】
2006039776.tif 000009
【図８】
2006039776.tif 000010
【図９】
2006039776.tif 000011
【図１０】
2006039776.tif 000012
【図１１】
2006039776.tif 000013
【図１２】
2006039776.tif 000014
【図１３】
2006039776.tif 000015
【図１４】
2006039776.tif 000016
【図１５】
2006039776.tif 000017
【図１６】
2006039776.tif 000018
【図１７】
2006039776.tif 000019